(57)【要約】      （修正有）【課題】制作容易で、保管コンパクト性に優れ、しかも、長時間装着使用が可能な顔面防御シートを提供する。【解決手段】眼鏡枠２０に着脱可能に組付けられて顔面を粉塵や水滴等から防御する顔面防御シート。防御シート本体１０は、湾曲させた顔面を覆う平面形状を有し、剛性を有する透明合成樹脂製シートで形成する。ヨロイ嵌合穴対１２、１２を有するとともに、該ヨロイ嵌合穴対１２、１２の外側に蔓係合穴対１６、１６を形成する。蔓２２を背面からヨロイ嵌合穴対１２、１２に通して、ヨロイ嵌合穴対１２、１２に嵌合させ、ヨロイ２０ａ、２０ａを支点としてシート本体１０を外側が蔓２２の内側に来るように反転させれば、簡単に眼鏡枠に取り付けできて、顔面防御壁を形成できる。【選択図】図２（ｃ）
0003227898.tif 000002
【実用新案登録請求の範囲】
【請求項１】
眼鏡枠に着脱可能に組付けられて粒子状物質に対する顔面の透明防御壁を形成する防御シートであって、
シート本体が、剛性を有する透明合成樹脂シートで形成され、湾曲させて顔面を覆う平面形状とされ、
前記シート本体は、前記眼鏡枠の両端であるヨロイに嵌合するヨロイ嵌合穴対を有するともに、該ヨロイ嵌合穴対の外側に導入スリット付きの蔓係合穴対を有する、
ことを特徴とする顔面防御シート。
【請求項２】
前記シート本体の下方部位がテーパ形状とされていることを特徴とする請求項１記載の顔面防御シート。
【請求項３】
原反シートから前記平面形状に打ち抜かれていることを特徴とする請求項１又は２記載の顔面防御シート。
【請求項４】
前記透明合成樹脂シートが、肉厚０．１〜０．５ｍｍのポリエチレンテレフタレート製であることを特徴とする請求項１又は２記載の顔面防御シート。
【請求項５】
前記ヨロイ嵌合穴対の穴形状が相対向する三日月状であることを特徴とする請求項１又は２記載の顔面防御シート。
【請求項６】
前記蔓係合穴対を複数対有することを特徴とする請求項１又は２記載の顔面防御シート。
【請求項７】
前記シート本体がさらに防曇処理されていることを特徴とする請求項１〜６いずれか記載の顔面防御シート。
【考案の詳細な説明】
【技術分野】
【０００１】  本考案は、眼鏡枠に着脱可能に組付けられて、粉塵や液滴等の粒子状物質に対する顔面の透明防御壁を形成する防御シートに関する。
【背景技術】
【０００２】  顔面防御シート、いわゆるフェイスシールドと称されるものとしては、例えば、髪カット時の髪の毛の顔面付着防止するもの（特許文献１）や、顔面全体を覆って危険液滴（高熱油等）から顔面を保護するもの（特許文献２）、さらには、シャンプー時の髪の毛やシャンプーの眼部への侵入を阻止するもの（特許文献３）等がある。
昨今、近隣諸国から季節風に乗って流入する黄砂やＰＭ１０、ＰＭ２．５等の微小粒子状物質、スパイクタイヤ粉塵、花粉、インフルエンザウィルスのような、季節性を有し、且つ、通常のマスクによる防御が困難な場合の対策が求められている。
【先行技術文献】
【特許文献】
【０００３】
【特許文献１】実用新案登録３２１４４６８号公報
【特許文献２】特開２０１０−１８７８８０号公報
【特許文献３】特表２０１０−５０１２９６号公報
【考案の概要】
【考案が解決しようとする課題】
【０００４】  上記のような対策に、特許文献１〜３に記載のような、顔面の透明防御壁を形成する防御シート（フェイスマスク）を転用することが考えられる。
しかし、特許文献１に係るフェイスマスクは、顔の脂分でカットに要する時間、短時間の顔面仮保持を予定したランダムポリプロピレンのフィルムで形成したもので、長時間装着使用を予定したものではない。
特許文献２に記載に係るフェイスマスクは、必ずしも制作容易性、保管コンパクト性に優れているとは言えない。すなわち、当該フェイスマスクは、額に沿う横長帯状体に、マスク体が溝嵌め込み結合を介してマスク体が一体化され及び一対の頭部用装着具がヒンジ結合されたものであるためである。
また、特許文献３に係るフェイスマスクは、シャワー時における眼部への水やシャンプーの侵入を阻止するもので、特許文献１同様、長時間装着使用を予定したものではなく、さらに、長時間の顔面保持のための粘着剤層やウオータポケットを必要とし、制作も容易でない。
本考案は、上記にかんがみて、制作容易で、保管コンパクト性に優れ、しかも、長時間装着使用が可能な顔面防御シートを提供することを目的とする。
【課題を解決するための手段】
【０００５】  本考案に係る顔面防御シートは、上記課題（目的）を下記手段により解決するものである（図１・３参照）。
眼鏡枠２０に着脱可能に組付けられて粒子状物質に対する顔面の透明防御壁を形成する防御シートである。
シート本体１０を、剛性を有する透明合成樹脂シートで形成し、湾曲させて顔面を覆う平面形状とする。
シート本体１０は、眼鏡枠２０のヨロイ（智）２０ａに嵌合するヨロイ嵌合穴対１２，１２を有するともに、該ヨロイ嵌合穴対１２，１２の外側に導入スリット１４付きの蔓係合穴対１６を有する。
【考案の効果】
【０００６】  本考案に係る顔面防御シートは、（ａ）上下反転させたシート本体１０の裏面側からヨロイ嵌合穴対１２，１２に、蔓（テンプル）対２２，２２を通してヨロイ（智）２０ａ，２０ａを嵌合させる，（ｂ）次に、シート本体１０の下側（額部覆い部位）を持ちながら蔓２２、２２間内側に挿入できるＵ字状に湾曲させて、ヨロイ２０ａ，２０ａを支点とし反転させ、シート本体１０のヨロイ嵌合穴対１２，１２の内側部位を眼鏡枠フロントＦに位置させるとともに、外側部位を眼鏡蔓対２２，２２の内側に位置させる、（ｃ）次に、蔓２２，２２を各導入スリット１４、を通して前記蔓係合穴対１６、１６に係合させる。当該係合はシート本体１０の外側への湾曲反発弾性力にて、シート本体の眼鏡枠２０への安定組付けが可能となる。こうして、眼鏡（枠）２０さえあれば、簡単に眼鏡枠２０に顔面防御シートを取り付けて顔面防御が可能となる。さらに、合成樹脂シートの原反からプレス裁断（型抜き）するだけで一瞬に、穴部を含めて安価な制作が可能となる。また保管も、同一形状の平面シート体を積層して包装すればよく嵩張ることもなく、携帯も容易である。
【図面の簡単な説明】
【０００７】
【図１】本考案の一実施例に係る顔面防御シートの平面図。
【図２】同じく眼鏡枠へのシート取り付け方法を示す流れ図。
【考案を実施するための形態】
【０００８】  以下、本考案の一実施形態について、図例に基づき説明する。
【０００９】  本顔面防御シート（シート本体１０）は、眼鏡枠２０に組付けられて、粉塵や液滴等の粒子状物質に対する顔面の透明防御壁を形成する防御シートである。シート本体１０は、透明合成樹脂製の剛性シートで形成する。剛性シートで形成されているため、湾曲させた場合、弾性戻り変形性を有する。
そして、シート本体１０の平面形状は、内側に湾曲させた際顔面を覆う平面形状とする。ここで、下方部（口側覆い部）がテーパ形状とされている。必然的ではないが、当該構成とすることにより。シート本体１０が口より下側に伸びるタイプの場合、肩を左右に振った際の肩部との干渉を防止できる。
シート本体１０は、眼鏡枠２０のヨロイ２０ａ、２０ａに嵌合するヨロイ嵌合穴対１２，１２を有するともに、該ヨロイ嵌合穴対１２，１２の外側に導入スリット１４付きの蔓係合穴対１６を有する。
この際の寸法仕様の一例を、ラージ（Ｌ）とレギュラー（Ｒ）に分けて、下記表に示す。
ここで、ヨロイ嵌合穴対１２，１２の間隔ｐは、眼鏡枠２０のヨロイ２０ａ、２０ａの間隔より、１０〜３０ｍｍ（１．１〜１．２倍）大きなものとする。
上記間隔ｐが小さすぎても大きすぎても、取り付ける際の作業性がよくない。間隔ｐが小さい場合は、シート本体１０を反転させる際、シート本体１０が眼鏡フロントＦに近接ししすぎて反転が困難となる。また、１２，１２間隔ｐが大きい場合は、シート本体１０を内側へ湾曲させながら、ヨロイ２０ａ，２０ａを支点として、シート本体１０の両側部を眼鏡蔓２２，２２の内側へ位置させる反転作業が困難となる。
【００１０】
0003227898.tif 000003
【００１１】  なお、上記において、蔓係合穴対１６，１６は、一対に限られず、複数対、通常、ヨロイ嵌合穴対１２，１２の高さ位置を挟んで上下２対としてもよい。透明防御壁の傾斜角度の好みのものとすることができる。
【００１２】  本防御シートを形成材料とする透明合成樹脂としては、ポリエチレンテレフタレート（ＰＥＴ）、ポリカーボネート（ＰＣ）等を挙げる。これらのうちで、加工性、コストの見地からＰＥＴが望ましい。そして、ＰＥＴを使用する場合、シートの肉厚は、通常、０．１〜０．５ｍｍ、望ましくは、０．１５〜０．２５ｍｍとする。
そして、シート本体１０は、通常、板状シート原反から打ち抜きにより簡単に大量生産可能である。すなわちシート外縁ばかりでなく、内側のヨロイ嵌合穴対１２，１２及び導入スリット１４付きの蔓係合穴対１６，１６も同時に打ち抜くことができる。
また、ヨロイ嵌合穴対１２、１２の穴形状は、丸形でもよいが、相対向する三日月状である相対向する三日月状とすることが望ましい。三日月状とすることにより、蔓と挿入穴対の隙間が小さくなり、有害粒状物質の侵入阻止効率（特に眼部近傍に対する）が向上する。なお、蔓係合穴１６の形状は、こめかみ部位の後方位置にあるため、該侵入阻止を考慮する必要がなく、蔓２２の挿入可能な丸形とする。
なお、打ち抜き後のシート本体１０は、通常そのまま使用に供するが、防曇、抗菌、着色、紫外線吸収等の各種処理を適宜施すことができる。特に、防曇加工をした場合は、呼気による曇り防止ができ、使用時における安定した視界の確保が容易となる。
【００１３】  次に上記図例の顔面防御シートの使用態様について説明する。
（Ａ）防御シートの眼鏡枠への取り付け：
（１）シート本体１０の幅狭側（テーパ形状側）を上にして、表側を手前とし裏側から眼鏡蔓（テンプル）２２を通して（図２（ａ））、ヨロイ嵌合穴対１２、１２にヨロイ２０ａ，２０ａを嵌合させる（図２（ｂ））。
（２）次に、シート本体１０の下側（額部覆い部位）を持ちながら蔓２２、２２間内側に挿入できるＵ字状に湾曲させて、ヨロイ２０ａ，２０ａを支点として反転させ、シート本体１０のヨロイ嵌合穴対１２，１２の内側部位を眼鏡枠フロントＦに位置させるとともに、外側部位を蔓対２２，２２の内側に位置させる。
（３）次に、蔓２２，２２を、各導入スリット１４を通して前記蔓係合穴対１６、１６に係合させる。該係合はシート本体１０の外側への湾曲反発弾性力にて、シート本体１０の眼鏡枠２０への安定保持が可能となる。こうして、シート本体１０の眼鏡枠２０への取り付けが完了する（図２（ｃ））。
ここで、シート本体１０が、ヨロイ２０ａ部位から蔓２２の内側に位置して眼部に近接し、粒子状物質の眼部及びその近傍顔面への粒子状物質の侵入乃至付着の防止効果が期待できる。さらに、ヨロイ嵌合１２を三日月状としたときはヨロイ嵌合穴１２とヨロイ１２との隙間が小さくなり、当該防止効果の増大が期待できる。
なお、該防御シート１０の眼鏡枠２０からの取り外しは上記手順の逆を行う。
【００１４】  こうして、防御シートを取り付けた眼鏡を装着すれば、顔面の略全面を液滴さらにはμｍからｎｍ単位の粉塵まで防御できる。このため、マスクで防御困難な粉塵の防御さらには飛沫感染の予防も可能となる。さらに、シート本体１０をＰＥＴで形成した場合は、相対的にコスト安で、使い捨て仕様とでき、さらにはリサイクルも可能できる。すなわち、透明防御壁体が少しでも汚れてきたり視界不良が自覚されれば、躊躇なく廃棄でき、携帯ケースに収納して、新しいシート本体に取り換えられ、快適な視界を確保できる。
【符号の説明】
【００１５】    １０    顔面防御シート
１２    ヨロイ嵌合穴
１４    導入スリット
１６    蔓係合穴
２０    眼鏡枠
２０ａ    ヨロイ
２２    蔓
ｐ    ヨロイ嵌合穴対間隔
Ｆ    眼鏡フロント
【図１】
0003227898.tif 000004
【図２（ａ）】
0003227898.tif 000005
【図２（ｂ）】
0003227898.tif 000006
【図２（ｃ）】
0003227898.tif 000007